(57)【特許請求の範囲】
【請求項１】
番組などのデータを受信する第一受信部と、
視聴者以外から番組などのデータおよび前記データとともに第一ＵＲＬ切り替え命令を受信する第二受信部と、
前記第二受信部が受信した前記データを蓄積するデータ蓄積部と、
視聴者から第二ＵＲＬ切り替え命令を受け付ける命令受付部と、
前記命令受付部で第二ＵＲＬ切り替え命令を受け付けた場合のみ前記第一受信部で受信するＵＲＬを切り替え、かつ前記第一ＵＲＬ切り替え命令は受信しない第一切替制御部と、
前記第二受信部で視聴者以外から前記第一ＵＲＬ切り替え命令を受信した場合のみ前記第二受信部で受信するＵＲＬを切り替え、かつ前記第二ＵＲＬ切り替え命令は受信しない第二切替制御部と、
前記第二受信部で受信したデータを前記データ蓄積部に蓄積する蓄積制御部と、
を具備する受信装置。
【請求項２】
番組などのデータを受信する第一受信部と、番組などのデータを受信する第二受信部と、前記データを蓄積するデータ蓄積部とを有する受信装置の制御方法であって、
視聴者から第二ＵＲＬ切り替え命令を受け付けるステップと、
前記第二ＵＲＬ切り替え命令によってのみ前記第一受信部のＵＲＬを切り替えるステップと、
前記ステップで切り替えられたＵＲＬに基づいて前記第一受信部で前記データを受信するステップと、
視聴者以外から前記第二受信部で受信する前記データとともに第一ＵＲＬ切り替え命令を受信するステップと、
前記第一ＵＲＬ切り替え命令によってのみ前記第二受信部で受信するＵＲＬを切り替えるステップと、
前記ステップで切り替えられたＵＲＬに基づいて前記第二受信部でデータを受信するステップと、
前記ステップで切り替えられたＵＲＬから前記第二受信部が受信したデータを前記データ蓄積部に蓄積するステップと、
からなる受信装置の制御方法。
【発明の詳細な説明】
【技術分野】
【０００１】
この発明は、テレビ、セットトップボックス、その他の受信装置に関し、特に、異なる機能を有する受信部を二つ以上有する受信装置に関する。
【背景技術】
【０００２】
従来、テレビやセットトップボックスなどの受信装置は受信部を一つだけ有していた。また、ＶＴＲなどの中には、受信部を二つ有して番組を視聴しながら、その裏番組を録画する機能を有するものもあった。しかし、二つの受信部は、送信されてくる電波の中からいずれかの番組の信号を選択して取り出すためのもので基本的に同じ機能を有していた。
【特許文献１】号公報
【発明の開示】
【発明が解決しようとする課題】
【０００３】
従来のテレビ、ビデオ、セットトップボックスなどでは、受信部が二つあっても、いずれの受信部も受信装置のみから制御されるものである。すなわち、その受信装置によって受信をするか、受信をしないか、受信をする場合にどのチャンネルを選択するか、などは、受信装置からのみ制御可能であった。従って、送信側である放送局などから受信部の制御をできなかった。従って、受信装置にデータ蓄積部などを設けても、送信側から自由にデータを蓄積することができなかった。また、番組の送り側が、ディスプレイ上に映し出される番組や、蓄積装置に蓄積される番組を選択することはできなかった。
【課題を解決するための手段】
【０００４】
この課題を解決するために、本発明では、受信装置に二つ以上の受信部を設け、一方の受信装置のチャンネルの切り替えは視聴者の自由に任せるとともに、他方の受信装置のチャンネルは原則として視聴者が切り替え不可能とし、番組などのデータを送信する側でコントロール可能とした。また、他方の受信部で受信するデータは自動的に蓄積可能として、受信装置自体の各種の制御のためのデータや、企業広告などをためておき適宜利用可能とした。
【発明の効果】
【０００５】
本発明では、視聴のための番組とは他に、その受信装置自体を制御するための信号や、企業の宣伝広告情報を受信することができる。従って、受信装置や受信システム自体を、番組の送り側などから制御をすることができる。例えば、企業の宣伝広告を視聴している番組にかかわらずディスプレイ上に表示させることが可能となる。
【発明を実施するための最良の形態】
【０００６】
図３に示すのは、本発明の受信装置３００を含むシステムの全体像である。番組などのデータが本発明の受信装置３００に受信され、受信されたデータは一部が蓄積されたり、受信データ処理装置３０１に送られてディスプレイでの表示のための信号に加工されたり、音声信号に加工されたりする。そして、表示装置３０２などに送られて視聴者が視聴可能に表示される。本発明は、この受信システム３０３の中の受信装置３００部分に関するものであり、より具体的には、図１に示す機能ブロックを有するものである。
【０００７】
図１に示すように、本発明の受信装置１００は、第一受信部１０１と、第二受信部１０２と、命令受付部１０５と、切替制御部１０３と、蓄積制御部１０４と、データ蓄積部１０６からなる。第一受信部１０１は第一のデータを受信し、第二受信部１０２は、第二のデータを受信する。第一のデータは例えば映画であり、第二のデータは例えば映画に出演している主人公が持っている自動車の宣伝広告である。データ蓄積部１０６はデータを蓄積する。データ蓄積部１０６は、ハードディスク、ＲＡＭ、キャッシュメモリー、ＲＯＭ、ＤＶＤ、ＦＤＤなどいずれでもよい。命令受付部１０５は、第一受信部１０１で受信するチャンネルを切り替える命令を受け付ける。蓄積制御部１０４は、第二受信部１０２で受信したデータをデータ蓄積部１０６に蓄積する。これらの機能は、図２に示すように機能する。
【０００８】
図２に示すように、第一受信部でチャンネル１の番組を受信していたとする。視聴者がテレビ２０２のチャンネル２の番組に変えたいとすると、リモコン装置などを使ってチャンネルを切り替える命令を命令受付部に与える。命令受付部は、例えば、リモコン２０１の信号を受け付ける部分であり、リモコン２０１が赤外線リモコンのようなものの場合には、赤外線受光部およびこれに付随する信号処理手段などである。命令受付部でチャンネル２への切替命令を受け付けると、切替命令は切替制御部に渡され、第一受信部のチャンネルを切り替える制御が行われる。その結果、表示装置にもチャンネル２の番組が映し出される。このとき、第二受信部で受信されたデータは、データ蓄積部２０３に蓄積される。
【０００９】
切替制御部によって第一受信部のチャンネルが切り替えられる様子を示すのが図４である。例えば、第一受信部４００が、１から３までのチャンネルのデータを受信可能とすると、受信装置で受信するのはそのうちのいずれか一つのチャンネルのみであるので、第一受信部４００はいずれかのチャンネルを選択しなければならない。この選択のために第一受信部４００は、切替制御命令取得手段４０１と、チャンネル切替手段４０２とを有し、切替制御部からの切替命令を切替制御命令取得手段４０１が取得し、この切替命令に従ってチャンネル切替手段４０２がチャンネルを切り替える。
【００１０】
ここでいうところのチャンネルの切替とは、図５に示すように、従来からあるテレビ放送などに利用されているアナログ地上波信号を搬送する搬送波の同調を行う。例えば、同調同波数をｆ１ヘルツからｆ２ヘルツに変更することをいう。そのほかに、インターネット放送などの場合の放送局のＵＲＬの切り替え、例えば、「http://www.abc.co.jp」を「http://www.efg.co.jp」に変更すること、パケット通信やＡＴＭ通信などを用いてＴＤＭＡ方式などにより複数のチャンネルが多重化されて送信される場合に、パケットないしはセルをそのヘッダーなどに付されている管理情報に基づいて選択することも含まれる。例えば、ヘッダーに含まれている識別子により特定の種類のパケットやセルを選択するとなどである。
【００１１】
一方、第二受信部は、第二のデータを受信し、このデータは蓄積制御部によってデータ蓄積部に蓄積される。この第二受信部が受信するデータとは、例えば、図６に示すように、受信装置、受信データ処理装置、表示装置、その他このシステムに付随する装置などの機能をコントロールするためのコントロール信号、例えば蓄積媒体データの圧縮保存のためのコントロール信号や、番組とともに表示装置に表示して視聴者に視聴させるための宣伝広告情報、たとえば、Ｔ社自動車の宣伝広告、受信装置、受信データ処理装置、表示装置などに特定の手順を実行させるためのプログラム例えば、ワードプロセッサ機能を実行するためのプログラムや、プログラムの一部をなす、例えば、ダイナミック・リンク・ライブラリのようなもの、地震や災害などの緊急を要する情報を伝えるための信号、例えば災害時の避難場所情報などである。
【００１２】
これらは、ブロードキャストにより、送信局からこの送信局配下の受信システム全体に対して、共通に送信される性質のものである。また、第二受信部で受信するデータは各受信システム同士で行われる電話、電子メールなどの個別の信号であってもよい。第二受信部が受信した信号は蓄積部に蓄積されることで、その後いつでも取り出して利用可能となり、また、一度のみならず、蓄積されている限り何回でも利用できるという効果がある。
【００１３】
例えば、地震や災害などの緊急を要する信号は、一度蓄積することで放送局などの放送機能が停止しても取り出しが可能となり、緊急避難場所の案内や、災害の広がっている範囲など何度も確認する必要がある情報にとって便利である。また、企業の宣伝広告情報などはディスプレイに表示するごとに変わるものでないので一度蓄積しておけばその後にいつでも蓄積装置から取り出してディスプレイ上に表示することができて便利である。
【００１４】
この種の情報は、第一受信部で受信するデータに含ませて送信し、一つの受信装置で受信して内部で信号処理などして管理することも考えられるが、番組などはいったん放送局で整理され、再構成された信号を送信するものであり、管理信号や、宣伝広告、緊急情報などを放送局にいったん渡して再構成するためには手間や時間がかかるという不便がある。
【００１５】
さらに、第一受信部のコントロールは基本的に視聴者に任されているので、緊急情報などだれにでも視聴させたい内容を視聴させるためには、受信装置を二つ以上に分けて一般の番組などのデータを受信するものとは別個に制御するほうが便利である。例えば第二受信部のチャンネル切り替えなどの制御は視聴者がすることができない構成にすると便利である。
【００１６】
図７は、第二受信部７０２で受信したデータが、企業の宣伝広告情報である場合を示す。第一受信部７０１が受信したデータであるデータ１（７０６）は、受信データ処理部７０４、表示装置７０５を介して、ディスプレイ上の画面の大部分、例えば、７０から９０％くらいの面積で番組を映し出し、視聴者はこれを視聴する。一方、第二受信部７０２が受信するデータ２（７０７）は、データ蓄積部７０３に蓄積され、受信データ処理部７０４に渡されて、表示装置７０５を介して、データ１（７０６）によって占有された面積の残りの部分に映し出される。
【００１７】
これは、宣伝広告情報であるために、視聴者の番組の視聴に邪魔にならない程度に、ディスプレイ上に表示される。この企業の宣伝広告情報は、データを第二受信部７０２が受信するとともに、同時にディスプレイ上に表示されても良いし、データをいったんデータ蓄積部７０３に蓄積してから、後ほど表示しても良い。従って、第二受信部７０２がその宣伝広告を受信していないときでも、データ蓄積部７０３からデータを取り出すことで、ディスプレイ上に表示できる。
【００１８】
次に、第二データ受信部がデータおよびチャンネル切替命令を受信する発明について説明する。この発明の受信装置は、図８に示すように、第一受信部８０１、第二受信部８０２、切替制御部８０３、蓄積制御部８０４、命令受付部８０５、データ蓄積部８０６および第二切替制御部８０７とからなる。そして、第二受信部８０２は、データおよびチャンネル切り替え命令を受信する。チャンネル切替命令とは第二受信部８０２のチャンネルを切り替えるための命令をいう。第一受信部８０１、切替制御部８０３、命令受付部８０５、蓄積制御部８０４、データ蓄積部８０６の基本的な機能は、最初に説明した受信装置の機能と同じである
。この発明の特徴点は、前述したように、第二受信部８０２と第二切替制御部８０７にある。
【００１９】
第二受信部８０２は、データおよびチャンネル切替命令を受信し、第二切替制御部８０７は、第二受信部８０２で受信したチャンネル切替命令に基づいて、第二受信部８０２のチャンネルを切り替えるための制御を行う。第二受信部８０２は、第二切替制御部８０７からの信号を受けて、図９に示す構成により、チャンネルの切替を行う。図９に示すように、第二受信部９００は、第二切替制御部からの切替制御命令を取得する第二切替制御命令取得手段９０１と、この第二切替制御命令取得手段９０１からの切替命令に基づいてチャンネルを切り替えるチャンネル切替手段９０２とからなる。チャンネル切替手段９０２によりチャンネル
１が選択されている場合には、チャンネル１のデータがデータ蓄積部９０３に蓄積される。チャンネルが切り替えられると切り替えられたチャンネルのデータがデータ蓄積部９０３に蓄積される。
【００２０】
この様子を示すのが、図１０である。受信装置を含む受信システムがテレビである場合に、テレビ１００１の受信装置の第二受信部は当初Ｔ社の宣伝広告のデータを受信し、これをデータ蓄積部１００３に蓄積していたが、チャンネル切替命令をテレビ１００２の受信装置の第二受信部で受信することでＮ社の宣伝広告のチャンネルに切り替わりそのデータが受信され、データ蓄積部１００４に蓄積されるようになる。この間、テレビには宣伝広告とは関係のない番組が表示されていても良いし、当初Ｔ社の宣伝広告が表示されていて、チャンネル切替命令とともに、Ｎ社の宣伝広告が表示されるような処理としても良い。なお、以上に示し
た本発明の実施の形態は、本発明の例を示すものであって本件発明の権利範囲を限定する趣旨のものではない。本発明の権利範囲はこれらの例に限定されず、適用が可能なすべての実施形態を含む。
【００２１】
次に、本発明の受信装置の制御方法について説明する。この発明は図１１に示すように、まず、受信のための入力があるまで待機し（ステップＳ１１０１）、入力があるとチャンネルの切替命令があるか判断し（ステップＳ１１０２）、チャンネルの切替命令があると、第一受信部のチャンネルを切り替え（ステップＳ１１０３）、ついで、第二受信部のデータの受信があるか判断し（ステップＳ１１０４）、データの受信がある場合にはこれを受信して（ステップＳ１１０５）、処理を終了する。
【００２２】
また、図１２に示すように、第二受信部が受信したデータを、必ずデータ蓄積部に蓄積するようにしても良い。図１２に示す処理は、受信のための入力があるまで待機し（ステップＳ１２０１）、入力があると、チャンネルの切替命令があるか判断し（ステップＳ１２０２）、チャンネルの切替命令があると第一受信部のチャンネルを切り替え（ステップＳ１２０３）、ついで、第二受信部のデータの受信があるか判断し（ステップＳ１２０４）、データの受信がある場合には、これを受信して（ステップＳ１２０５）、受信したデータをデータ蓄積部に蓄積し（ステップＳ１２０６）、処理を終了する。
【００２３】
図１３に示すものは、第二受信部で受信するチャンネルを切り替えるための信号を、第二受信部で受信する場合の説明である。受信のための入力があるまで待機し（ステップＳ１３０１）、入力があると、チャンネルの切替命令があるか判断し（ステップＳ１３０２）、チャンネルの切替命令があると、第一受信部のチャンネルを切り替え（ステップＳ１３０３）、ついで、第二受信部のデータの受信があるか判断し（ステップＳ１３０４）、データの受信がある場合にはこれを受信して（ステップＳ１３０５）、受信したデータをデータ蓄積部に蓄積し（ステップＳ１３０６）、さらに、第二受信部でチャンネル切替命令の受信があるか判断し（ステップＳ１３０７）、受信がある場合には、第二受信部のチャンネルを切り替えて（ステップＳ１３０８）、処理を終了する。
【００２４】
これらの処理は、必ずしも受信装置、受信システムにおいて行う必要があるものではなく、付随する周辺機器などにおいて行われるものであっても良い。なお、図１１から図１３に示す処理をするためのプログラムをコンピュータ読み取り可能に記録した記録媒体とすると便利である。コンピュータ読み取り可能とは、受信システム、ないしは、受信装置に読み取り可能とすることを含む趣旨である。
【図面の簡単な説明】
【００２５】
【図１】本発明の受信装置の機能ブロック図である。
【図２】本発明の利用を示す図である。
【図３】本発明を含む受信システムを示す機能ブロック図である。
【図４】本発明の受信装置の第一受信部の機能ブロック図である。
【図５】本発明のチャンネル切替の概念の一例を示す図である。
【図６】本発明の第二受信部が受信するデータの一例を示す図である。
【図７】本発明の受信システムの機能ブロックを示す図である。
【図８】本発明の他の例の機能ブロックを示す図である。
【図９】本発明の他の例の第二受信部の機能ブロックを示す図である。
【図１０】本発明の他の例の利用の様子を示す概念図である。
【図１１】本発明の処理の流れを示す図である。
【図１２】本発明の処理の流れを示す他の図である。
【図１３】本発明の処理の流れを示すさらに他の図である。
【符号の説明】
【００２６】
１００  受信装置
１０１  第一受信部
１０２  第二受信部
１０３  切替制御部
１０４  蓄積制御部
１０５  命令受付部
１０６  データ蓄積部
【図１】
0004403562.tif 000002
【図２】
0004403562.tif 000003
【図３】
0004403562.tif 000004
【図４】
0004403562.tif 000005
【図５】
0004403562.tif 000006
【図６】
0004403562.tif 000007
【図７】
0004403562.tif 000008
【図８】
0004403562.tif 000009
【図９】
0004403562.tif 000010
【図１０】
0004403562.tif 000011
【図１１】
0004403562.tif 000012
【図１２】
0004403562.tif 000013
【図１３】
0004403562.tif 000014